(57)【要約】【課題】スケジュールに基づく薬剤の服用を支援する服用支援プログラム、服用支援方法及びコンピュータを提供することを目的とする。【解決手段】コンピュータに、複数の薬剤が封入された包装の画像を表示部に表示し、表示された前記包装の画像に対する、服用済みの前記薬剤の選択を受け付け、受け付けた選択の結果と、記憶部に記憶された、服用者の薬剤の服用状況を示す情報とに基づき、前記服用者の薬剤の服用状況の良否を判定する、処理を実行させる。【選択図】図８
2016015041.tif 000002
【特許請求の範囲】
【請求項１】
コンピュータに、
複数の薬剤が封入された包装の画像を表示部に表示し、
表示された前記包装の画像に対する、服用済みの前記薬剤の選択を受け付け、
受け付けた選択の結果と、記憶部に記憶された、服用者の薬剤の服用状況を示す情報とに基づき、前記服用者の薬剤の服用状況の良否を判定する、
処理を実行させることを特徴とする服用支援プログラム。
【請求項２】
コンピュータに、
複数の薬剤が封入された包装の画像を表示部に表示し、
表示された前記包装の画像に対する、服用予定の薬剤の前記包装における位置の入力を受け付け、
受け付けた入力の結果と、記憶部に記憶された、服用者の薬剤の服用状況を示す情報とに基づき、前記服用者の薬剤の服用状況の良否を判定する、
処理を実行させることを特徴とする服用支援プログラム。
【請求項３】
前記コンピュータに、
前記服用済みの前記薬剤と、服用予定の薬剤と、の選択を受け付ける処理を実行させることを特徴とする請求項１記載の服用支援プログラム。
【請求項４】
前記薬剤の服用状況を示す情報は、
過去に受け付けた選択の結果に基づく情報であることを特徴とする請求項１又は３に記載の服用支援プログラム。
【請求項５】
前記選択の結果は、
前記服用済みの錠剤を特定する情報と、該服用済みの錠剤の前記包装における封入位置の情報と、を含むことを特徴とする請求項１、３、４の何れか一項に記載の服用支援プログラム。
【請求項６】
前記コンピュータに、
前記服用者の薬剤の服用状況が正しいと判定されたとき、
前記前記包装の画像において、次に服用する薬剤の前記包装における位置を前記表示部に表示させる処理を実行させることを特徴とする請求項１、３乃至５の何れか一項に記載の服用支援プログラム。
【請求項７】
前記コンピュータに、
前記記憶部に記憶された、前記服用者の薬剤の服用スケジュールを示す情報を参照し、
服用予定時間が検知された際にアラームを起動させる処理を実行させることを特徴とする請求項１乃至６の何れか一項に記載の服用支援プログラム。
【請求項８】
コンピュータによる薬剤の服用支援方法であって、該コンピュータが、
複数の薬剤が封入された包装の画像を表示部に表示し、
表示された前記包装の画像に対する、服用済みの前記薬剤の選択を受け付け、
受け付けた選択の結果と、記憶部に記憶された、服用者の薬剤の服用状況を示す情報とに基づき、前記服用者の薬剤の服用状況の良否を判定する、
ことを特徴とする服用支援方法。
【請求項９】
コンピュータによる薬剤の服用支援方法であって、該コンピュータが、
複数の薬剤が封入された包装の画像を表示部に表示し、
表示された前記包装の画像に対する、服用予定の薬剤の前記包装における位置の入力を受け付け、
受け付けた入力の結果と、記憶部に記憶された、服用者の薬剤の服用状況を示す情報とに基づき、前記服用者の薬剤の服用状況の良否を判定する、
ことを特徴とする服用支援方法。
【請求項１０】
複数の薬剤が封入された包装の画像を表示部に表示させる画面データ生成部と、
表示された前記包装の画像に対する、服用済みの前記薬剤の選択を受け付ける入力受付部と、
受け付けた選択の結果と、記憶部に記憶された、服用者の薬剤の服用状況を示す情報とに基づき、前記服用者の薬剤の服用状況の良否を判定する整合判定部と、
を有することを特徴とするコンピュータ。
【請求項１１】
複数の薬剤が封入された包装の画像を表示部に表示させる画面データ生成部と、
表示された前記包装の画像に対する、服用予定の薬剤の前記包装における位置の入力を受け付ける入力受付部と、
受け付けた入力の結果と、記憶部に記憶された、服用者の薬剤の服用状況を示す情報とに基づき、前記服用者の薬剤の服用状況の良否を判定する整合判定部と、
を有することを特徴とするコンピュータ。
【発明の詳細な説明】
【技術分野】
【０００１】
本発明は、薬剤の服用を支援する服用支援プログラム、服用支援方法及びコンピュータに関する。
【背景技術】
【０００２】
従来では、薬剤を服用する際に、服用の忘却や用法や用量の誤りを防ぐために、様々な工夫が成されている。工夫の例として、服用時間にアラームを鳴らすこと、薬剤の用法に合わせて服用する用量毎に薬剤をパッケージする収納ケースを使用すること等が挙げられる。
【０００３】
また、その他の例として、例えば体外へ排出されるタグを薬剤に内蔵させ、薬剤の服用時にタグから情報を読み取って用法や用量か否か判定することが知られている。
【先行技術文献】
【特許文献】
【０００４】
【特許文献１】特開２００７−３３４８０５号公報
【発明の概要】
【発明が解決しようとする課題】
【０００５】
従来の技術では、服用のスケジュールを管理するためタグやリーダ等の機器が必要となる、服用のスケジュールに応じた収納ケースを携帯しなくてはならない等、利便性に欠ける。
【０００６】
また、アラーム等で服用の用法等を管理しようとした場合、アラームを止めた後に服用を忘却する可能性があり、結果としてスケジュール通りに服用されないおそれがある。
【０００７】
１つの側面では、スケジュールに基づく薬剤の服用を支援する服用支援プログラム、服用支援方法及びコンピュータを提供することを目的とする。
【課題を解決するための手段】
【０００８】
一様態によれば、コンピュータに、複数の薬剤が封入された包装の画像を表示部に表示し、表示された前記包装の画像に対する、服用済みの前記薬剤の選択を受け付け、受け付けた選択の結果と、記憶部に記憶された、服用者の薬剤の服用状況を示す情報とに基づき、前記服用者の薬剤の服用状況の良否を判定する、処理を実行させる。
【０００９】
上記処理は、上記処理を実現する機能部、上記各処理を手順としてコンピュータにより実行させる方法、プログラムを記憶したコンピュータ読み取り可能な記憶媒体とすることもできる。
【発明の効果】
【００１０】
スケジュールに基づく薬剤の服用を支援できる。
【図面の簡単な説明】
【００１１】
【図１】服用支援システムの一例を示す図である。
【図２】錠剤データベースの一例を示す図である。
【図３】服用管理情報データベースに一例を示す図である。
【図４】服用管理情報データベースにおける情報の登録を説明する図である。
【図５】服用支援システムにおける服用の支援を説明する図である。
【図６】服用支援装置のハードウェア構成の一例を示す図である。
【図７】服用支援装置の機能構成を説明する図である。
【図８】服用支援装置の動作を説明するフローチャートである。
【図９】服用データの入力画面の一例を示す図である。
【図１０】第一の実施形態における服用データを説明する図である。
【図１１】指示画面の一例を示す図である。
【図１２】第二の実施形態における服用データを説明する図である。
【発明を実施するための形態】
【００１２】
以下、実施形態を図面に基づいて説明する。図１は、服用支援システムの一例を示す図である。
【００１３】
服用支援システム１００は、服用支援装置２００と、端末装置３００とを有する。服用支援装置２００は、ネットワークを介して端末装置３００と接続されている。
【００１４】
服用支援システム１００において、服用支援装置２００は、例えば薬剤の服用者の服用のスケジュールに応じて、服用予定時間毎に、端末装置３００に服用する薬剤の用量を確認させるための入力画面を表示させる。
【００１５】
端末装置３００は、入力画面の表示と共にアラーム等により服用予定時間であることを服用者に通知し、入力画面における薬剤の服用状況に係るデータの入力を受け付け、入力された服用状況に係るデータを服用支援装置２００へ送信する。服用支援装置２００は、端末装置３００から送信されたデータに基づき、服用状況が予め決められた用量及び用法と整合するか否かを判定し、誤りであった場合に、端末装置３００にその旨を通知する。
【００１６】
すなわち、服用支援装置２００は、服用者に対し、薬剤の服用予定時間に服用する薬剤の用量を確認させることで、服用者のスケジュールに応じた服用を支援する。
【００１７】
服用支援装置２００は、服用支援プログラム２１０がインストールされており、服用支援プログラム２１０を実行することで、服用者の服用を支援する。
【００１８】
服用支援装置２００は、錠剤データベース２２０、服用管理情報データベース２３０を有する。錠剤データベース２２０は、薬剤の用法や用量に関する情報が格納されている。服用管理情報データベース２３０は、服用者に関する情報、服用者に処方された薬剤の情報、服用者の服用状況の情報等が格納されている。
【００１９】
以下に、服用支援装置２００の有する各データベースについて説明する。図２は、錠剤データベースの一例を示す図である。
【００２０】
錠剤データベース２２０は、錠剤テーブル２２１と、用法テーブル２２２とを格納する。本実施形態の錠剤データベース２２０は、例えば服用支援システム１００の管理者等により予め登録されていても良い。また、錠剤データベース２２０は、例えば医療機関等から提供されても良い。
【００２１】
錠剤テーブル２２１は、情報の項目として、錠剤ＩＤ、錠剤名、服用回数、縦錠剤数、横錠剤数、画像データを有し、錠剤ＩＤに各項目が対応付けられている。以下の説明では、項目「錠剤ＩＤ」の値と、項目「錠剤ＩＤ」と対応付けられた他の項目の値と、を錠剤情報と呼ぶ。
【００２２】
錠剤ＩＤは、錠剤を特定する識別情報である。錠剤名は、錠剤の名称である。服用回数は、１日における錠剤の服用回数である。縦錠剤数は、錠剤の個包装において縦方向に配列された錠剤の数である。横錠剤数は、錠剤の個包装において横方向に配列された錠剤の数である。画像データは、個包装された錠剤の画像の画像データである。
【００２３】
尚、錠剤の個包装とは、複数の錠剤をアルミなどの薄い金属とプラスチックで１錠ずつ分けて包装したシート状のものを示す。
【００２４】
例えば図２に示す錠剤テーブル２２１によれば、錠剤ＩＤ「３１」の名前は「Ａ錠剤」であり、１日の服用回数は３回であり、個包装において縦方向に５錠、横方向に２錠が封入されていることがわかる。すなわち錠剤ＩＤ「３１」の錠剤の個包装には、１０錠のＡ錠剤が封入されていることがわかる。
【００２５】
用法テーブル２２２は、情報の項目として、錠剤ＩＤ、服用量、年齢を有し、錠剤ＩＤに他の項目が対応付けられている。以下の説明では、項目「錠剤ＩＤ」の値と、項目「錠剤ＩＤ」と対応付けられた他の項目の値と、を用法情報と呼ぶ。すなわち、錠剤データベース２２０には、錠剤情報と用法情報とが格納されている。
【００２６】
用法テーブル２２２において、服用量は１回に服用する量を示す情報であり、年齢は錠剤を服用する人の年齢を示す情報である。
【００２７】
例えば図２に示す用法テーブル２２２によれば、錠剤ＩＤ「３１」の錠剤は、６歳以上１１歳未満の患者は１回につき１錠を服用し、１１歳以上１５歳未満の患者は１回につき２錠を服用し、１５歳以上の患者は１回につき３錠を服用する薬剤であることがわかる。
【００２８】
図３は、服用管理情報データベースに一例を示す図である。
【００２９】
服用管理情報データベース２３０は、服用者テーブル２３１と、スケジュールテーブル２３２と、服用状況テーブル２３３と、管理者テーブル２３４とを格納する。
【００３０】
服用管理情報データベース２３０において、服用者テーブル２３１、スケジュールテーブル２３２、管理者テーブル２３４は、例えば端末装置３００から入力される服用者に関する情報と、錠剤データベース２２０とに基づき登録される。また、服用状況テーブル２３３は、服用者の服用状況に応じて生成される。
【００３１】
服用者テーブル２３１は、情報の項目として、服用者ＩＤ、氏名、生年月日、服用開始日、服用終了日を有し、服用者ＩＤに他の項目が対応付けられている。服用者ＩＤは、薬剤を服用する人を特定する識別情報である。服用者ＩＤは、例えば服用者が薬剤の処方を受けたときに服用者毎に割り振られても良い。服用者氏名は、服用者の氏名である。生年月日は服用者の生年月日である。服用開始日は、服用者が薬剤の服用を開始した日であり、服用終了日は、服用者が薬剤の服用を終了した日である。以下の説明では、服用者テーブル２３１において、項目「服用者ＩＤ」の値と、項目「服用者ＩＤ」と対応付けられた他の項目の値と、を服用者情報と呼ぶ。尚、服用者情報には、管理者テーブル２３４に含まれ管理者と、管理者のメールアドレスが含まれていても良い。
【００３２】
スケジュールテーブル２３２は、情報の項目として、服用者ＩＤ、錠剤ＩＤ、服用予定時間を有し、服用者ＩＤに他の項目が対応付けられている。服用予定時間は、服用者が薬剤を服用する時間である。服用予定時間は、薬剤を処方された際に予め決められた時間であっても良いし、服用者又は後述する服用管理者等により、薬剤の処方に基づき設定された時間であっても良い。以下の説明では、スケジュールテーブル２３２において、項目「服用者ＩＤ」の値と、項目「服用者ＩＤ」と対応付けられた他の項目の値と、をスケジュール情報と呼ぶ。
【００３３】
服用状況テーブル２３３は、情報の項目として、服用者ＩＤ、錠剤ＩＤ、服用日時、個包装座標を有し、服用者ＩＤと他の項目とが対応付けられている。
【００３４】
服用日時は、服用者ＩＤで特定される服用者が錠剤ＩＤで特定される錠剤を服用した日時を示す。個包装座標は、錠剤ＩＤで特定される錠剤の個包装における錠剤の位置を示す座標である。
【００３５】
図３の例では、服用者ＩＤ「１１」の服用者が錠剤ＩＤ「３３」を２０１４年１月２２日の１２時０２分に服用し、このとき服用された錠剤は、錠剤ＩＤ「３３」の個包装において、一行目の一列目にある錠剤であることがわかる。
【００３６】
以下の説明では、服用状況テーブル２３３において、項目「服用者ＩＤ」の値と、項目「服用者ＩＤ」と対応付けられた他の項目の値と、を服用状況情報と呼ぶ。すなわち、服用管理情報データベース２３０には、服用者情報、スケジュール情報、服用状況情報が格納されている。
【００３７】
管理者テーブル２３４は、情報の項目として、管理者ＩＤ、服用者ＩＤ、管理者氏名、メールアドレスを有し、管理者ＩＤに他の項目が対応付けられている。
【００３８】
管理者ＩＤは、服用者の服用状況を管理する人を特定する識別情報である。管理者ＩＤは、服用者に薬剤が処方されたときに予め登録された管理者に対して割り振られても良い。管理者は、例えば服用者が未成年である場合には、服用者の保護者等で家族であっても良い。また、管理者は、例えば服用者が看護や介護を必要とする人であった場合には、看護師や介護者等であっても良い。
【００３９】
管理者氏名は、管理者の氏名である。メールアドレスは、管理者のメールアドレスである。尚、図３の例では、メールアドレスとしたが、これに限定されない。管理者テーブル２３４には、メールアドレスの代わりに、例えば管理者へ服用状況に関する通知を送信することが可能な宛先が格納されていれば良い。
【００４０】
次に、図４及び図５を参照し、服用支援システム１００の動作の概略を説明する。
【００４１】
図４は、服用管理情報データベースにおける情報の登録を説明する図である。
【００４２】
服用支援システム１００において、服用支援装置２００は、端末装置３００において入力された服用者情報を受け付ける（ステップＳ４１）。尚、服用者情報は、端末装置３００から入力されるものに限定されず、服用支援装置２００において直接入力されても良い。
【００４３】
服用支援装置２００は、服用者情報を受け付けると、錠剤データベース２２０を参照し、服用者情報に含まれる生年月日、錠剤名から、錠剤の用法と用量を問い合わせる（ステップＳ４３）。
【００４４】
続いて、服用支援装置２００は、錠剤テーブル２２１を参照して錠剤の１日の服用回数と、服用予定時間を取得し、用法テーブル２２２を参照して服用者の年齢に応じた用量を取得する（ステップＳ４３）。尚、服用予定時間は、例えば服用者の年齢に基づく服用者の活動時間と、１日の服用回数とに基づき算出されても良い。
【００４５】
続いて服用支援装置２００は、服用者情報と、錠剤データベース２２０から取得した情報とを服用管理情報データベース２３０へ登録する（ステップＳ４４）。具体的には、服用支援装置２００は、服用者情報を服用者テーブル２３１に登録する。また、服用支援装置２００は、服用者ＩＤ、錠剤ＩＤ、服用予定時間をスケジュールテーブル２３２に登録する。また、服用支援装置２００は、管理者テーブル２３４に、服用者ＩＤと、管理者氏名と、メールアドレスとを登録する。
【００４６】
続いて服用支援装置２００は、スケジュールテーブル２３２に登録した服用予定時間に基づき、端末装置３００に対してアラームを設定させる（ステップＳ４５）。また、服用支援装置２００は、管理者テーブル２３４に管理者が登録された場合に、管理者のメールアドレスに対し、管理者に情報が登録されたことを確認させるメールを送信する（ステップＳ４６）。
【００４７】
服用支援装置２００は、以上の処理により、服用管理情報データベース２３０の各テーブルへ情報を登録する。
【００４８】
次に、図５を参照し、服用支援システム１００における服用の支援について説明する。図５は、服用支援システムにおける服用の支援を説明する図である。
【００４９】
服用支援システム１００において、端末装置３００は、服用者の服用予定時間になるとアラームをならす（ステップＳ５１）。このとき、服用支援装置２００は、端末装置３００に服用状況を入力させる入力画面を表示させる。以下の説明では、端末装置３００において入力される服用者の服用状況を示すデータを服用データと呼ぶ。
【００５０】
端末装置３００は、服用データが入力されると、服用支援装置２００に服用データを送信する（ステップＳ５２）。服用支援装置２００は、服用データを受け付けると、服用管理情報データベース２３０に対して前回までの服用状況を問い合わせ（ステップＳ５３）、服用済みの個包装座標を取得する（ステップＳ５４）。
【００５１】
続いて服用支援装置２００は、端末装置３００から受け付けた服用データと、服用済みの個包装座標とに基づき、服用状況と服用のスケジュールとが整合しているか否か判定する（ステップＳ５５）。服用支援装置２００は、両者の整合がとれている場合には、服用管理情報データベース２３０に服用データを登録する（ステップＳ５６）。また、このとき服用支援装置２００は、端末装置３００のアラーム機能を停止させる。
【００５２】
服用支援装置２００は、両者の整合がとれていない場合には、端末装置３００に対して再アラーム機能（スヌーズ機能）を設定させ（ステップＳ５７）、管理者に対し、服用の仕方が誤っている又は誤る可能性があることを通知するメールを送信する（ステップＳ５８）。
【００５３】
服用支援システム１００では、以上のように、服用予定時間になる度に、服用者に服用データの入力を促し、服用状況が服用のスケジュールと整合しているか否かを判定する。服用のスケジュールとは、すなわち、処方された用量及び用法である。
【００５４】
そして、服用支援システム１００は、判定結果に応じて服用者の端末装置３００のアラーム機能を停止させるか、又は再設定することで、スケジュールに基づく服用を支援する。
【００５５】
さらに、服用支援システム１００では、服用データを、服用者が実際に服用する錠剤の個包装を手元におき、錠剤の個包装を見ながら入力させるような仕組みとした。したがって、服用支援システム１００では、服用者は、服用予定時間になると錠剤の個包装が手元にある状態となり、服用の忘却を抑制することができる。
【００５６】
以下に、服用支援装置２００について説明する。図６は、服用支援装置のハードウェア構成の一例を示す図である。
【００５７】
服用支援装置２００は、それぞれバスＢで相互に接続されている入力装置２１、出力装置２２、ドライブ装置２３、補助記憶装置２４、メモリ装置２５、演算処理装置２６及びインターフェース装置２７を含むコンピュータである。
【００５８】
入力装置２１はキーボードやマウス等を含み、各種信号を入力するために用いられる。出力装置２２はディスプレイ装置等を含み、各種ウインドウやデータ等を表示するために用いられる。インターフェース装置２７は、モデム、ＬＡＮカード等を含み、ネットワークに接続する為に用いられる。
【００５９】
服用支援プログラム２１０は、服用支援装置２００を制御する各種プログラムの少なくとも一部である。服用支援プログラム２１０は例えば記録媒体２８の配布やネットワークからのダウンロードなどによって提供される。服用支援プログラム２１０を記録した記録媒体２８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００６０】
また、服用支援プログラム２１０は、服用支援プログラム２１０を記録した記録媒体２８がドライブ装置２３にセットされるとは記録媒体２８からドライブ装置２３を介して補助記憶装置２４にインストールされる。ネットワークからダウンロードされた服用支援プログラム２１０は、インターフェース装置２７を介して補助記憶装置２４にインストールされる。
【００６１】
補助記憶装置２４は、インストールされた服用支援プログラム２１０を格納すると共に、必要なファイル、データ等を格納する。メモリ装置２５は、コンピュータの起動時に補助記憶装置２４から服用支援プログラム２１０を読み出して格納する。そして、演算処理装置２６はメモリ装置２５に格納された服用支援プログラム２１０に従って、後述するような各種処理を実現している。
【００６２】
尚、本実施形態の服用支援装置２００がタブレット型のコンピュータ等である場合には、入力装置２１及び出力装置２２を兼ねた表示操作装置を有しても良い。表示操作装置は、表示機能を有するタッチパネル等により実現される。
【００６３】
また、本実施形態の端末装置３００は、例えばスマートフォンやタブレット端末等であり、そのハードウェア構成は服用支援装置２００がタブレット型のコンピュータであった場合と同様であるから説明を省略する。
【００６４】
次に、服用支援装置２００の機能について説明する。図７は、服用支援装置の機能構成を説明する図である。
【００６５】
服用支援装置２００は、服用者登録部２１１、計時部２１２、錠剤画像取得部２１３、服用管理情報取得部２１４、画面データ生成部２１５、アラーム制御部２１６、入力受付部２１７、整合判定部２１８、データベース更新部２１９、出力部２４０を有する。
【００６６】
服用者登録部２１１は、服用管理情報データベース２３０に対する服用者情報の登録を行う。服用者情報の登録の処理は、図４で説明した通りである。
【００６７】
計時部２１２は、服用支援装置２００の時計機能を用いて服用予定時間を検知する。錠剤画像取得部２１３は、錠剤データベース２２０から、錠剤ＩＤと対応した錠剤の画像データを取得する。
【００６８】
服用管理情報取得部２１４は、服用管理情報データベース２３０に格納された各種情報を取得する。
【００６９】
画面データ生成部２１５は、錠剤画像取得部２１３により取得した錠剤の画像データと、服用管理情報取得部２１４が取得した各種情報に基づき、服用データを入力させる入力画面の画面データを生成する。画面データの生成の詳細は後述する。
【００７０】
アラーム制御部２１６は、端末装置３００のアラームの制御を行う。具体的にはアラーム制御部２１６は、端末装置３００に対してアラームの設定要求、起動要求及び停止要求を行う。また、アラーム制御部２１６は、スヌーズ機能の設定要求を行う。
【００７１】
入力受付部２１７は、入力画面において入力された服用データを受け付ける。服用データの詳細は後述する。
【００７２】
整合判定部２１８は、入力受付部２１７により受け付けた服用データを服用管理情報データベース２３０と照合し、整合がとれているか否かを判定する。
【００７３】
データベース更新部２１９は、整合判定部２１８による判定結果に応じて、服用データを服用管理情報データベース２３０へ登録し、服用管理情報データベース２３０を更新する。
【００７４】
出力部２４０は、整合判定部２１８による判定結果に応じて、管理者の端末へメール等の通知を送信する。
【００７５】
服用支援システム１００では、服用データを服用済みの錠剤の情報とする場合と、服用データを服用済みの錠剤及び服用予定の錠剤の情報とする場合がある。
【００７６】
そこで、以下の説明では、服用データを服用済みの錠剤の情報とする場合を第一の実施形態とし、服用データを服用済みの錠剤及び服用予定の錠剤の情報とする場合を第二の実施形態とした。
【００７７】
（第一の実施形態）
図８は、服用支援装置の動作を説明するフローチャートである。尚、図８に示す処理は、服用者ＩＤ毎に実行される。
【００７８】
本実施形態の服用支援装置２００は、計時部２１２により、スケジュールテーブル２３２を参照し、支援の対象となっている服用者の服用者ＩＤと対応する服用予定時間となったか否かを判定する（ステップＳ８０１）。ステップＳ８０１において服用予定時間でない場合、服用支援装置２００は、服用予定時間になるまで待機する。
【００７９】
ステップＳ８０１において服用予定時間となった場合、服用支援装置２００は、錠剤画像取得部２１３により、服用者ＩＤと対応する錠剤の画像データを取得する（ステップＳ８０２）。より具体的には、錠剤画像取得部２１３は、スケジュールテーブル２３２において支援対象の服用者ＩＤと対応する錠剤ＩＤを取得する。そして錠剤画像取得部２１３は、錠剤データベース２２０の錠剤テーブル２２１において、錠剤ＩＤと対応する画像データを取得する。本実施形態の画像データは、錠剤ＩＤと対応する錠剤が個包装された画像のデータである。
【００８０】
続いて服用支援装置２００は、画面データ生成部２１５により、ステップＳ８０２で取得した画像データを含む服用データの入力画面の画面データを生成する（ステップＳ８０３）。本実施形態の画面データ生成部２１５は、入力画面に錠剤ＩＤと対応する錠剤の個包装の画像を表示させ、個包装された錠剤の１つ１つを選択することが可能な入力画面の画面データを生成する。
【００８１】
続いて、服用支援装置２００は、アラーム制御部２１６により、端末装置３００へアラームの起動要求を行い、出力部２４０により端末装置３００へ入力画面の画面データを出力（送信）する（ステップＳ８０４）。
【００８２】
続いて服用支援装置２００は、入力受付部２１７により、端末装置３００から服用データを受け付けたか否かを判定する（ステップＳ８０５）。ステップＳ８０５において、服用データを受け付けない場合、服用支援装置２００は服用データを受け付けるまで待機する。
【００８３】
ここで、本実施形態の服用データについて説明する。
【００８４】
本実施形態の服用データは、端末装置３００に表示された入力画面に表示された錠剤の個包装の画像において、服用者により選択された錠剤の位置を示す個包装座標を含むデータである。例えば入力画面の個包装の画像において、服用者により３つの錠剤が選択された場合には、錠剤ＩＤと、個包装における３つの錠剤の位置を示す個包装座標とが、服用データとなる。
【００８５】
本実施形態では、端末装置３００の入力画面において、服用者が服用済みの錠剤を入力するものとした。したがって、本実施形態の服用データは、錠剤の個包装において、服用者が服用済みの錠剤の位置を示す個包装座標となる。
【００８６】
ステップＳ８０５において服用データを受け付けた場合、服用支援装置２００は、用法テーブル２２２と、服用状況テーブル２３３とを参照する（ステップＳ８０６）。
【００８７】
続いて服用支援装置２００は、整合判定部２１８により、受け付けた服用データが用法テーブル２２２及び服用状況テーブル２３３と整合しているか否かを判定する（ステップＳ８０７）。以下に、ステップＳ８０７の処理をさらに説明する。
【００８８】
本実施形態では、整合判定部２１８は、服用状況テーブル２３３において錠剤ＩＤと対応する個包装座標を全て取得する。続いて整合判定部２１８は、服用状況テーブル２３３に含まれる全ての個包装座標が、服用データに含まれるか否かを判定する。
【００８９】
さらに、本実施形態の整合判定部２１８は、用法テーブル２２２から、錠剤ＩＤと対応する１回の服用量の値を取得する。続いて整合判定部２１８は、服用データに含まれる個包装座標のうち、服用状況テーブル２３３に含まれない個包装座標の数と、用法テーブル２２２から取得した１回分の用量の値とが一致した否かを判定する。
【００９０】
本実施形態の整合判定部２１８は、服用状況テーブル２３３から取得した個包装座標が、服用データに全て含まれ、且つ、服用状況テーブル２３３に含まれない個包装座標の数と、用法テーブル２２２から取得した１回分の用量の値とが一致した場合に、服用データと服用状況とが整合したと判定する。
【００９１】
ステップＳ８０７において、整合しない場合、アラーム制御部２１６は、端末装置３００へスヌーズ機能の設定要求を送信する。また、出力部２４０は、管理者テーブル２３４を参照し、服用者ＩＤと対応する管理者のメールアドレスに服用者の服用状況に誤りがある可能性があることを通知するメールを送信する（ステップＳ８０８）。
【００９２】
ステップＳ８０７において、整合した場合、服用支援装置２００は、データベース更新部２１９は、服用データを服用状況テーブル２３３へ格納し、服用管理情報データベース２３０を更新する（ステップＳ８０９）。
【００９３】
続いて服用支援装置２００は、アラーム制御部２１６により、端末装置３００へアラームの停止要求を出力し（ステップＳ８１０）、端末装置３００におけるアラームを停止させる。
【００９４】
続いて服用支援装置２００は、画面データ生成部２１５により、錠剤の個包装において、これから服用すべき錠剤の箇所を示す指示画面の画面データを生成し、端末装置３００へ送信する（ステップＳ８１１）。尚、このとき画面データ生成部２１５は、服用を促すメッセージを含む画面データを生成しても良い。
【００９５】
続いて服用支援装置２００は、入力受付部２１７により、端末装置３００から服用完了の通知を受け付けたか否かを判定する（ステップＳ８１２）。尚、服用完了の通知は、例えばステップＳ８１１で生成した画面データに、服用が完了した際に操作させる服用完了通知ボタン等を含ませ、端末装置３００において、服用完了通知ボタンが操作されたとき、端末装置３００から服用支援装置２００へ送信されても良い。
【００９６】
ステップＳ８１２において、服用完了の通知を受け付けない場合、服用支援装置２００は服用完了の通知を受けるまで待機する。尚、このとき服用支援装置２００は、アラームの停止要求を送信してから所定時間が経過しても、服用完了の通知を受け付けない場合、再度アラーム起動要求を端末装置３００へ送信しても良い。
【００９７】
ステップＳ８１２において、服用完了の通知を受け付けると、服用支援装置２００は処理を終了する。
【００９８】
以下に、図９及び図１０を参照して、本実施形態の服用データの入力と、服用支援装置２００の動作について、具体的に説明する。
【００９９】
図９は、服用データの入力画面の一例を示す図である。
【０１００】
図９に示す入力画面９１では、錠剤ＩＤ「３３」の個包装の画像９２と、服用データの入力が完了したことを通知する登録ボタン９３と、が表示されている。入力画面９１において、画像９２に含まれる１つ１つの錠剤は、選択することができる。
【０１０１】
本実施形態では、入力画面９１において、服用者により、画像９２の中の服用済みの錠剤の画像が選択され、登録ボタン９３が操作されると、服用データが服用支援装置２００へ送信される。
【０１０２】
図１０は、第一の実施形態における服用データを説明する図である。
【０１０３】
図１０では、錠剤ＩＤ「３３」の個包装１０１のうち、錠剤Ｔ１、Ｔ２、Ｔ３、Ｔ４が服用済みとして説明する。したがって、個包装１０１では、錠剤Ｔ１、Ｔ２、Ｔ３、Ｔ４が封入されていた位置は空となっている。また、図１０では、服用者は１５歳以上とする。
【０１０４】
本実施形態では、服用者は、入力画面９１の画像９２から、錠剤ＩＤ「３３」の個包装において服用済みの錠剤の画像、すなわち個包装１０１において空となっている位置と対応する錠剤の画像を選択することが要求される。
【０１０５】
したがって、図１０では、服用者により、服用済みの錠剤として、錠剤Ｔ１の画像と、錠剤Ｔ２の画像と、錠剤Ｔ３の画像と、錠剤Ｔ４の画像とが選択される。
【０１０６】
入力画面９１において、錠剤Ｔ１、Ｔ２、Ｔ３、Ｔ４の画像がそれぞれ選択されると、端末装置３００は、錠剤Ｔ１の個包装座標と、錠剤Ｔ２の個包装座標と、錠剤Ｔ３の個包装座標と、錠剤Ｔ４の個包装座標と、を錠剤ＩＤ「３３」と対応付け、服用データとして服用支援装置２００へ送信する。
【０１０７】
錠剤Ｔ１は、個包装１０１において１行目の１列目に位置している。したがって、錠剤Ｔ１の個包装座標は（１，１）である。同様に、錠剤Ｔ２の個包装座標は（２，１）であり、錠剤Ｔ３の個包装座標は（３，１）であり、錠剤Ｔ４の個包装座標は（４，１）である。
【０１０８】
服用支援装置２００は、服用データを受け付けると、整合判定部２１８により、服用状況テーブル２３３から、錠剤ＩＤ「３３」と対応する個包装座標を全て取得する。図３に示す服用状況テーブル２３３において、錠剤ＩＤ「３３」と対応する個包装座標は、（１，１）、（２，１）である。
【０１０９】
個包装座標（１，１）、（２，１）は、前回の服用の直前に、錠剤ＩＤ「３３」の個包装において空となっていた錠剤の位置である。すなわち、個包装座標（１，１）、（２，１）は、前回の服用の直前に、服用データとして入力された個包装座標である。したがって、個包装座標（１，１）、（２，１）と対応する錠剤Ｔ１、Ｔ２は、今回の服用の際にも、個包装において空となっているはずの錠剤である。
【０１１０】
よって、整合判定部２１８は、個包装座標（１，１）、（２，１）が全て服用データに含まれるか否かを判定し、個包装座標（１，１）、（２，１）が、服用データに含まれている場合に、前回の服用の前のまでの服用について、服用状況テーブル２３３と服用データとの整合がとれたものと判定する。
【０１１１】
さらに、本実施形態の服用データには、錠剤Ｔ３の個包装座標（３，１）と、錠剤Ｔ４の個包装座標（４，１）が含まれる。この錠剤Ｔ３、Ｔ４の個包装座標は、服用状況テーブル２３３に含まれていない。したがって、錠剤Ｔ３、Ｔ４は、前回の服用の際に、服用データとして入力されなかったことを示している。すなわち、錠剤Ｔ３、Ｔ４は、前回の服用の際に服用済みではなく、今回の服用の際に服用済みであることから、前回の服用の際に服用されたことがわかる。
【０１１２】
そこで、整合判定部２１８は、錠剤データベース２２０の用法テーブル２２２を参照し、錠剤ＩＤ「３３」の１回の服用における錠数を取得する。図２の用法テーブル２２２では、服用者が１５歳以上の場合の錠剤ＩＤ「３３」の１回の服用における錠数は２錠である。
【０１１３】
続いて整合判定部２１８は、用法テーブル２２２から取得した錠数と、服用データにおいて、服用状況テーブル２３３に含まれなかった個包装座標の数とが一致するか否かを判定する。
【０１１４】
本実施形態の服用データにおいて、服用状況テーブル２３３に含まれなかった個包装座標の数は、前回服用された錠剤の数である。図１０では、前回服用された錠剤は、錠剤Ｔ３、Ｔ４の２錠であり、用法テーブル２２２から取得した錠数と一致する。
【０１１５】
よって、本実施形態では、整合判定部２１８は、前回の服用について、用法テーブル２２２と服用データとの整合がとれたものと判定する。
【０１１６】
本実施形態において、整合判定部２１８は、服用データが服用状況テーブル２３３と用法テーブル２２２との両方と一致したとき、服用データが前回の服用状況と整合しているものと判定する。すなわち、本実施形態では、整合判定部２１８は、服用済みの錠剤について、服用状況と整合しているか否かを判定する。よって、本実施形態では、服用データを受け付けたとき、前回までの服用に間違いが無かったか否かを判定することができる。
【０１１７】
以上のように、本実施形態では、入力画面において、個包装の全ての錠剤を１つ１つ選択可能に表示させ、服用者に実際の錠剤の個包装で空となった錠剤の位置と対応する位置を選択させる。このため、本実施形態では、服用者は、服用予定時間になると、例えば錠剤の個包装を手元におき、錠剤の個包装の状態を確認しながら服用データの入力を行うことになる。したがって、本実施形態では、服用者による服用の忘却を抑制でき、スケジュールに基づく服用を支援できる。
【０１１８】
次に、図１１を参照し、これから服用すべき錠剤の箇所を示す指示画面について説明する。図１１は、指示画面の一例を示す図である。
【０１１９】
図１１に示す指示画面１１１では、錠剤Ｔ１〜Ｔ４が服用済みの錠剤として選択されている。ここでは、次の服用における用量は２錠であるから、服用支援装置２００は、画面データ生成部２１５により、今回服用されるべき２錠である錠剤Ｔ５及び錠剤Ｔ６の画像を光らせる画面データを生成しても良い。
【０１２０】
尚、錠剤Ｔ５及び錠剤Ｔ６の画像の表示は、光らせるものに限定されない。例えば錠剤Ｔ５及び錠剤Ｔ６の画像は、枠で囲われていても良い。また、本実施形態では、指示画面１１１内に、これから服用する錠剤が錠剤Ｔ５及び錠剤Ｔ６の２錠であることを示すメッセージを表示させても良い。
【０１２１】
また、指示画面１１１は、服用の完了を通知するボタン１１２が表示されていても良い。この場合、本実施形態では、服用支援装置２００は、ボタン１１２の操作を受け付けると、端末装置３００へ指示画面１１１の表示の終了要求を送信しても良い。
【０１２２】
（第二の実施形態）
以下に説明する第二の実施形態では、服用データに含まれる個包装座標に、服用済みの錠剤の個包装座標と、服用予定の錠剤の個包装座標とが含まれる点のみ、第一の実施形態と相違している。したがって、以下の第二の実施形態の説明では、第一の実施形態との相違点についてのみ説明する。
【０１２３】
図１２は、第二の実施形態における服用データを説明する図である。
【０１２４】
図１２では、錠剤ＩＤ「３１」の個包装１２１のうち、錠剤Ｔ２１、Ｔ２２が服用済みとして説明する。したがって、個包装１２１では、錠剤Ｔ２１、Ｔ２２が封入されていた位置は空となっている。また、図１２では、服用者は６歳以上１１歳未満とする。
【０１２５】
本実施形態では、入力画面９１Ａには、錠剤ＩＤ「３１」と対応する個包装１２１の画像１２２が表示されている。
【０１２６】
本実施形態では、入力画面９１Ａの画像１２２から、錠剤ＩＤ「３１」の個包装において服用済みの錠剤の画像とこれから服用する予定の錠剤の画像、すなわち個包装１２１において空となっている位置と対応する錠剤の画像と、これから空になる位置と対応する錠剤の画像とを選択することが要求される。
【０１２７】
錠剤ＩＤ「３１」は、服用者は６歳以上１１歳未満の場合の１回の用量は１錠である。したがって、図１２では、服用者により、服用済みの錠剤の画像として錠剤Ｔ２１及び錠剤Ｔ２２の画像と、これから服用する錠剤の画像として錠剤Ｔ２３の画像と、が選択される。
【０１２８】
入力画面９１Ａにおいて、錠剤Ｔ２１、Ｔ２２、Ｔ２３の画像がそれぞれ選択されると、端末装置３００は、錠剤Ｔ２１の個包装座標と、錠剤Ｔ２２の個包装座標と、錠剤Ｔ２３の個包装座標と、を錠剤ＩＤ「３１」と対応付け、服用データとして服用支援装置２００へ送信する。
【０１２９】
錠剤Ｔ２１は、個包装１２１において１行目の１列目に位置している。したがって、錠剤Ｔ２１の個包装座標は（１，１）である。同様に、錠剤Ｔ２２の個包装座標は（２，１）であり、錠剤Ｔ２３の個包装座標は（３，１）である。
【０１３０】
服用支援装置２００は、服用データを受け付けると、整合判定部２１８により、服用状況テーブル２３３から、錠剤ＩＤ「３１」と対応する個包装座標を全て取得する。図３に示す服用状況テーブル２３３において、錠剤ＩＤ「３１」と対応する個包装座標は、（１，１）、（２，１）である。
【０１３１】
個包装座標（１，１）、（２，１）は、前回の服用の直前に、服用データとして入力されたものであり、錠剤ＩＤ「３１」の個包装１２１において、空になっていた錠剤の位置と、これから服用することで空になる錠剤の位置とを示す。
【０１３２】
したがって、個包装座標（１，１）、（２，１）と対応する錠剤Ｔ２１、Ｔ２２は、今回の服用の際には、個包装１２１において空となっているはずの錠剤である。
【０１３３】
よって、整合判定部２１８は、個包装座標（１，１）、（２，１）が全て服用データに含まれるか否かを判定し、個包装座標（１，１）、（２，１）が、服用データに含まれている場合に、前回までの服用について、服用状況テーブル２３３と服用データとの整合がとれたものと判定する。
【０１３４】
さらに、本実施形態の服用データには、錠剤Ｔ２３の個包装座標（３，１）が含まれる。この錠剤Ｔ２３の個包装座標は、服用状況テーブル２３３に含まれていない。したがって、錠剤Ｔ２３は、前回の服用の際に、服用データとして入力されなかったことを示している。すなわち、錠剤Ｔ２３は、前回の服用の際には、服用済みではなく且つ服用予定でもなかった錠剤である。よって、錠剤Ｔ２３は、今回の服用において、これから服用される錠剤であることがわかる。
【０１３５】
そこで、整合判定部２１８は、錠剤データベース２２０の用法テーブル２２２を参照し、服用者が６歳以上１１歳未満の場合の錠剤ＩＤ「３１」の１回の服用における錠数を取得する。図２の用法テーブル２２２では、該当する錠剤ＩＤ「３４」の１回の服用における錠数は１錠である。
【０１３６】
続いて整合判定部２１８は、用法テーブル２２２から取得した錠数と、服用データにおいて、服用状況テーブル２３３に含まれなかった個包装座標の数とが一致するか否かを判定する。
【０１３７】
本実施形態の服用データにおいて、服用状況テーブル２３３に含まれなかった個包装座標の数は、これから服用される錠剤の数である。
【０１３８】
図１２では、これから服用される錠剤は、錠剤Ｔ２３の１錠であり、用法テーブル２２２から取得した錠数と一致する。よって、本実施形態では、整合判定部２１８は、今回の服用について、用法テーブル２２２と服用データとの整合がとれたものと判定する。
【０１３９】
本実施形態の整合判定部２１８は、服用データが服用状況テーブル２３３と用法テーブル２２２との両方と一致したとき、服用データが前回の服用状況と整合しているものと判定する。
【０１４０】
すなわち、本実施形態では、整合判定部２１８は、服用済みの錠剤及びこれから服用する服用予定の錠剤について、服用状況と整合しているか否かを判定する。よって、本実施形態では、服用データを受け付けたとき、前回までの服用と、今回の服用予定に間違いがないか否かを判定できる。
【０１４１】
尚、本実施形態の指示画面では、入力画面９１Ａにおいて選択された錠剤の画像のうち、これから服用される予定の錠剤を光らせて表示させても良い。
【０１４２】
また、上記の各実施形態の説明では、服用支援装置２００が服用支援プログラム２１０を実行するものとして説明したが、これに限定されない。服用支援プログラム２１０は、例えば端末装置３００にインストールされていても良い。この場合、錠剤データベース２２０と服用管理情報データベース２３０は、服用支援装置２００に格納されており、端末装置３００が服用支援装置２００の各データベースを参照しても良い。
【０１４３】
また、端末装置３００に服用支援プログラム２１０がインストールされている場合には、服用管理情報データベース２３０は端末装置３００に設けられても良い。
【０１４４】
また、上記の各実施形態では、服用支援装置２００に錠剤データベース２２０と服用管理情報データベース２３０が設けられるものとしたが、これに限定されない。錠剤データベース２２０と服用管理情報データベース２３０は、服用支援装置２００と通信が可能な外部の装置に設けられていても良いし、錠剤データベース２２０のみが外部の装置に設けられていても良い。
【０１４５】
さらに、服用支援システム１００では、例えば端末装置３００又は服用支援装置２００において、服用データを服用済みの錠剤の個包装座標と、服用予定の錠剤の個包装座標の両者を含むものとするか、服用済みの錠剤の個包装座標のとするか、設定可能であっても良い。
【０１４６】
開示の技術では、以下に記載する付記のような形態が考えられる。
（付記１）
コンピュータに、
複数の薬剤が封入された包装の画像を表示部に表示し、
表示された前記包装の画像に対する、服用済みの前記薬剤の選択を受け付け、
受け付けた選択の結果と、記憶部に記憶された、服用者の薬剤の服用状況を示す情報とに基づき、前記服用者の薬剤の服用状況の良否を判定する、
処理を実行させることを特徴とする服用支援プログラム。
（付記２）
コンピュータに、
複数の薬剤が封入された包装の画像を表示部に表示し、
表示された前記包装の画像に対する、服用予定の薬剤の前記包装における位置の入力を受け付け、
受け付けた入力の結果と、記憶部に記憶された、服用者の薬剤の服用状況を示す情報とに基づき、前記服用者の薬剤の服用状況の良否を判定する、
処理を実行させることを特徴とする服用支援プログラム。
（付記３）
前記コンピュータに、
前記服用済みの前記薬剤と、服用予定の薬剤と、の選択を受け付ける処理を実行させることを特徴とする付記１記載の服用支援プログラム。
（付記４）
前記薬剤の服用状況を示す情報は、
過去に受け付けた選択の結果に基づく情報であることを特徴とする付記１又は３に記載の服用支援プログラム。
（付記５）
前記薬剤の服用状況を示す情報は、
前記服用者の薬剤の服用状況が正しいと判定されたとき、前記選択の結果を含む情報に更新されることを特徴とする付記４記載の服用支援プログラム。
（付記６）
前記選択の結果は、
前記服用済みの錠剤を特定する情報と、該服用済みの錠剤の前記包装における封入位置の情報と、を含むことを特徴とする付記１、３乃至５の何れか一項に記載の服用支援プログラム。
（付記７）
前記コンピュータに、
前記服用者の薬剤の服用状況が正しいと判定されたとき、
前記前記包装の画像において、次に服用する薬剤の前記包装における位置を前記表示部に表示させる処理を実行させることを特徴とする付記１、３乃至６の何れか一項に記載の服用支援プログラム。
（付記８）
前記コンピュータに、
前記記憶部に記憶された、前記服用者の薬剤の服用スケジュールを示す情報を参照し、
服用予定時間が検知された際にアラームを起動させる処理を実行させることを特徴とする付記１乃至７の何れか一項に記載の服用支援プログラム。
（付記９）
コンピュータによる薬剤の服用支援方法であって、該コンピュータが、
複数の薬剤が封入された包装の画像を表示部に表示し、
表示された前記包装の画像に対する、服用済みの前記薬剤の選択を受け付け、
受け付けた選択の結果と、記憶部に記憶された、服用者の薬剤の服用状況を示す情報とに基づき、前記服用者の薬剤の服用状況の良否を判定する、
ことを特徴とする服用支援方法。
（付記１０）
コンピュータによる薬剤の服用支援方法であって、該コンピュータが、
複数の薬剤が封入された包装の画像を表示部に表示し、
表示された前記包装の画像に対する、服用予定の薬剤の前記包装における位置の入力を受け付け、
受け付けた入力の結果と、記憶部に記憶された、服用者の薬剤の服用状況を示す情報とに基づき、前記服用者の薬剤の服用状況の良否を判定する、
ことを特徴とする服用支援方法。
（付記１１）
複数の薬剤が封入された包装の画像を表示部に表示させる画面データ生成部と、
表示された前記包装の画像に対する、服用済みの前記薬剤の選択を受け付ける入力受付部と、
受け付けた選択の結果と、記憶部に記憶された、服用者の薬剤の服用状況を示す情報とに基づき、前記服用者の薬剤の服用状況の良否を判定する整合判定部と、
を有することを特徴とするコンピュータ。
（付記１２）
複数の薬剤が封入された包装の画像を表示部に表示させる画面データ生成部と、
表示された前記包装の画像に対する、服用予定の薬剤の前記包装における位置の入力を受け付ける入力受付部と、
受け付けた入力の結果と、記憶部に記憶された、服用者の薬剤の服用状況を示す情報とに基づき、前記服用者の薬剤の服用状況の良否を判定する整合判定部と、
を有することを特徴とするコンピュータ。
【０１４７】
本発明は、具体的に開示された実施例に限定されるものではなく、特許請求の範囲から
逸脱することなく、種々の変形や変更が可能である。
【符号の説明】
【０１４８】
１００  服用支援システム
２００  服用支援装置
２１０  服用支援プログラム
２１１  服用者登録部
２１５  画面データ生成部
２１６  アラーム制御部
２１８  整合判定部
２２０  錠剤データベース
２２１  錠剤テーブル
２２２  用法テーブル
２３０  服用管理情報データベース
２３１  服用者テーブル
２３２  スケジュールテーブル
２３３  服用状況テーブル
２３４  管理者テーブル
【図１】
2016015041.tif 000003
【図２】
2016015041.tif 000004
【図３】
2016015041.tif 000005
【図４】
2016015041.tif 000006
【図５】
2016015041.tif 000007
【図６】
2016015041.tif 000008
【図７】
2016015041.tif 000009
【図８】
2016015041.tif 000010
【図９】
2016015041.tif 000011
【図１０】
2016015041.tif 000012
【図１１】
2016015041.tif 000013
【図１２】
2016015041.tif 000014